(57)【要約】【課題】発電設備のドレン水処理設備におけるスケール付着を確実に防止し、ひいては給水系を含めた全循環水系におけるスケール付着を防止することによって、発電設備におけるエネルギー損失を抑制する。【解決手段】発電用蒸気タービンの排蒸気から水分を分離回収する湿分分離器および湿分分離器ドレンと、前記湿分分離器ドレン水と復水器からの給水と、複数の低圧ヒータを通る低圧ヒータドレンと、前記復水器と低圧ヒータとの間に設けられている混床式イオン交換樹脂設備とを少なくとも具備してなるドレン水処理設備において、前記給水中の鉄イオンを低減化することによって前記スケール付着を抑制する。【選択図】        図１
2006150171.tif 000002
【特許請求の範囲】
【請求項１】
発電用蒸気タービンの排蒸気から水分を分離回収する湿分分離器および湿分分離器ドレンと、復水器から下流の複数の低圧ヒータを通る低圧ヒータドレンと、復水器と低圧ヒータとの間に設けられている混床式イオン交換樹脂設備とを少なくとも具備してなるドレン水処理設備であって、
前記ドレン水及び復水器から供給される給水中の鉄イオンを低減する鉄イオン低減手段を具備することを特徴とする給水及びドレン水処理設備。
【請求項２】
前記鉄イオン低減手段が、前記湿分分離器ドレンに取り付けられた鉄溶出抑制薬剤注入装置であることを特徴とする請求項１に記載の給水及びドレン水処理設備。
【請求項３】
前記鉄イオン低減手段が、前記低圧ヒータドレンに取り付けられた鉄溶出抑制薬剤注入装置であることを特徴とする請求項１または２に記載の給水及びドレン水処理設備。
【請求項４】
前記鉄イオン低減手段が、前記低圧ヒータの下流に設けた脱気滞留槽と該脱気滞留槽に取り付けられた鉄溶出抑制薬剤注入装置とから構成されていることを特徴とする請求項１〜３のいずれか１項に記載の給水及びドレン水処理設備。
【請求項５】
前記鉄イオン低減手段が、前記湿分分離器ドレン水の一部を直接に前記復水器に送り込むバイパスドレンであることを特徴とする請求項１〜４のいずれか１項に記載の給水及びドレン水処理設備。
【請求項６】
前記鉄イオン低減手段が、前記低圧ヒータドレン水の一部を直接に前記復水器に送り込むバイパスドレンであることを特徴とする請求項１〜５のいずれか１項に記載の給水及びドレン水処理設備。
【請求項７】
前記鉄イオン低減手段が、前記復水器と低圧ヒータとの間に設けられている混床式イオン交換樹脂設備に前記給水の全量を送る配管構造であることを特徴とする請求項１〜６のいずれか１項に記載の給水及びドレン水処理設備。
【請求項８】
前記鉄イオン低減手段が、前記湿分分離器ドレンを構成する配管および／または前記低圧ヒータドレンを構成する配管の少なくとも一部を構成している鉄溶出量低減鋼製配管であることを特徴とする請求項１〜７のいずれか１項に記載の給水及びドレン水処理設備。
【請求項９】
前記給水ポンプの下流に設けた鉄イオン監視モニターの測定データに基づき前記鉄溶出抑制薬剤注入装置における薬剤注入量が制御されることを特徴とする請求項２〜４のいずれか１項に記載の給水及びドレン水処理設備。
【請求項１０】
発電用蒸気タービンの排蒸気から水分を分離回収する湿分分離器および湿分分離器ドレンと、復水器から下流の複数の低圧ヒータを通る低圧ヒータドレンと、復水器と低圧ヒータとの間に設けられている混床式イオン交換樹脂設備とを少なくとも具備してなるドレン水処理設備におけるスケール付着抑制方法であって、
前記ドレン水及び給水中の鉄イオンを低減化することによって前記スケール付着を抑制することを特徴とするスケール付着抑制方法。
【請求項１１】
前記鉄イオン低減を、前記湿分分離器ドレンに鉄溶出抑制薬剤を注入して鋼製配管からドレン水中への鉄溶出を抑制することにより実現することを特徴とする請求項１０に記載のスケール付着抑制方法。
【請求項１２】
前記鉄イオン低減を、前記低圧ヒータドレンに鉄溶出抑制薬剤を注入して鋼製配管からドレン水中への鉄溶出を抑制することにより実現することを特徴とする請求項１０または１１に記載のスケール付着抑制方法。
【請求項１３】
前記鉄イオン低減を、前記低圧ヒータの下流に脱気滞留槽を設け、該脱気滞留槽に鉄溶出抑制薬剤を注入して鋼製配管からドレン水中への鉄溶出を抑制することにより実現することを特徴とする請求項１０〜１２のいずれか１項に記載のスケール付着抑制方法。
【請求項１４】
前記鉄イオン低減を、前記湿分分離器ドレン水の一部を直接に前記復水器に送り込み、酸素に富む復水器水に接触させてドレン水中の鉄イオンを固体酸化物としてさせることにより実現することを特徴とする請求項１０〜１３のいずれか１項に記載のスケール付着抑制方法。
【請求項１５】
前記鉄イオン低減を、前記低圧ヒータドレン水の一部を直接に前記復水器に送り込み、酸素に富む復水器水に接触させてドレン水中の鉄イオンを固体酸化物としてさせることにより実現することを特徴とする請求項１０〜１３のいずれか１項に記載のスケール付着抑制方法。
【請求項１６】
前記鉄イオン低減を、前記復水器と低圧ヒータとの間に設けられている混床式イオン交換樹脂設備に前記給水の全量を送って前記混床式イオン交換樹脂設備による給水中の鉄イオンの捕集率を高めることにより実現することを特徴とする請求項１０〜１５のいずれか１項に記載のスケール付着抑制方法。
【請求項１７】
前記鉄イオン低減を、前記湿分分離器ドレンを構成する配管および／または前記低圧ヒータドレンを構成する配管の少なくとも一部を鉄溶出低減鋼製配管から構成して配管からドレン水への鉄溶出を抑えることにより実現することを特徴とする請求項１０〜１６のいずれか１項に記載のスケール付着抑制方法。
【請求項１８】
給水ポンプの下流または上流に鉄イオン監視モニターを設け、この鉄イオン監視モニターの測定データに基づき前記鉄溶出抑制薬剤注入量を制御することを特徴とする請求項１１〜１３のいずれか１項に記載のスケール付着抑制方法。
【発明の詳細な説明】
【技術分野】
【０００１】
本発明は、発電用の蒸気タービンの排蒸気から水分を回収し発電蒸気として再利用するための給水及びドレン水処理設備、および給水及びドレン水処理設備のスケール付着抑制方法に関するものである。
【背景技術】
【０００２】
周知のように、火力発電所や原子力発電所などの発電施設では、火力や原子力などのエネルギー源を用いて発生させた高温で高圧な蒸気をタービンに吹き当ててタービンを回転駆動させて機械的エネルギーに変換し、このタービンの機械的エネルギーを電気エネルギーに変換して電力を得ている。発電用のタービンを回転駆動した後の排蒸気は、そのまま捨てられてしまうのではなく、復水器にて冷却されて水に凝縮され、その水を再び発電用の蒸気を得るための貯水として回収している。
【０００３】
前記系統水循環ラインを構成している配管設備を、本明細書では、給水及びドレン水処理設備と記す。この給水及びドレン水処理設備は、基本的構成として、発電用蒸気タービンの排蒸気から水分を分離回収する湿分分離器および湿分分離器ドレンと、前記湿分分離器ドレン水と復水器からの給水とを複数の低圧ヒータを通る低圧ヒータドレンと、前記復水器と低圧ヒータとの間に設けられている混床式イオン交換樹脂濾過器とを少なくとも具備している。なお、給水及びドレン水処理設備では、前記低圧ヒータの下流に脱気器を設け、この脱気器により前記湿分分離器ドレンからのドレン水と給水から溶存ガスを除去する構成を取る場合がある。また、発電設備では、給水及びドレン水処理設備において復水からの給水は、連続して給水系配管設備に流され、低圧給水加熱器および高圧給水加熱器を経て高温にされ、最後に蒸気発生器によって蒸気にされ、タービン駆動に供されることになる。その後、タービンを駆動した排蒸気は、前述のようにドレン水処理設備によって再び水分を回収され、再利用されることになる。このように発電設備では、タービンを駆動する水分を給水系配管設備とドレン水処理設備とによって循環させつつ再利用している。
【０００４】
前記ドレン水処理設備および給水系配管設備では、そのほとんどの機器および配管は、炭素鋼を材質として製造されている。そのため復水、給水の水循環系の機器や配管から炭素鋼の腐食に伴い酸化鉄などの不純物が発生し、循環水に混入し、ポンプを始めとする各種機器にスケールとして付着して、伝熱損失や水循環エネルギー損失などの発電設備における運転エネルギーの損失を生じている。
【０００５】
このような発電設備における水循環系におけるスケール発生の抑制方法として、従来、復水系にアンモニア（ｐＨ調整剤）を注入するとともに、給水系にヒドラジン（脱酸剤）を注入して酸化鉄の発生を防止する構成（特許文献１）や、配管にフィルターを設け、これによって酸化鉄粒子を除去する構成（特許文献２）や、配管に徐鉄装置を取り付けて酸化鉄粒子を除去する構成（特許文献３）や、ポンプインペラ（羽根車）表面にクロムメッキを施してポンプへのスケール付着を防止する構成（特許文献４）等が開示されている。
【０００６】
【特許文献１】特開平１１−１３２６７３号公報
【特許文献２】特開２００１−１７９６８号公報
【特許文献３】特開平８−４２３０７号公報
【特許文献４】特開平８−１００７８９号公報
【発明の開示】
【発明が解決しようとする課題】
【０００７】
しかしながら、前記アンモニアおよびヒドラジンを循環水に注入する構成では、ポンプへのスケール付着を抑制するには効果的に不十分である。また、配管にフィルターを設けて酸化鉄粒子を除去する構成では、析出した鉄分は除去できても析出前の鉄イオンは除去できないので、効果的に不十分である。また、徐鉄装置によって酸化鉄粒子を除去する構成では、前記フィルターによる除去構成と同様に、鉄イオンの除去ができないため、効果的に不十分である。さらに、ポンプインペラにクロルメッキを施す構成では、効果が不十分であるばかりでなく、ポンプ以外へのスケール付着を防ぐことができない。
【０００８】
本発明は、上記従来の事情に鑑みてなされたものであって、発電設備の給水及びドレン水処理設備におけるスケール付着を確実に防止し、延いては給水系を含めた全循環水系におけるスケール付着を防止することによって、発電設備におけるエネルギー損失を抑制しうることを課題とする。
【課題を解決するための手段】
【０００９】
上述した課題を解決するために、本発明の［請求項１］にかかる給水及びドレン水処理設備は、発電用蒸気タービンの排蒸気から水分を分離回収する湿分分離器および湿分分離器ドレンと、復水器から下流の複数の低圧ヒータを通る低圧ヒータドレンと、復水器と低圧ヒータとの間に設けられている混床式イオン交換樹脂設備とを少なくとも具備してなるドレン水処理設備であって、前記ドレン水および復水器から供給される給水中の鉄イオンを低減する鉄イオン低減手段を具備することを特徴とする。
【００１０】
本発明の［請求項２］の給水及びドレン水処理設備は、前記［請求項１］において、前記鉄イオン低減手段が、前記湿分分離器ドレンに取り付けられた鉄溶出抑制薬剤注入装置であることを特徴とする。
【００１１】
本発明の［請求項３］の給水及びドレン水処理設備は、前記［請求項１］または［請求項２］において、前記鉄イオン低減手段が、前記低圧ヒータドレンに取り付けられた鉄溶出抑制薬剤注入装置であることを特徴とする。
【００１２】
本発明の［請求項４］の給水及びドレン水処理設備は、前記［請求項１］〜［請求項３］のいずれか１項において、前記鉄イオン低減手段が、前記低圧ヒータの下流に設けた脱気滞留槽と該脱気滞留槽に取り付けられた鉄溶出抑制薬剤注入装置とから構成されていることを特徴とする。
【００１３】
本発明の［請求項５］の給水及びドレン水処理設備は、前記［請求項１］〜［請求項４］のいずれか１項において、前記鉄イオン低減手段が、前記湿分分離器ドレン水の一部を直接に前記復水器に送り込むバイパスドレンであることを特徴とする。
【００１４】
本発明の［請求項６］の給水及びドレン水処理設備は、前記［請求項１］〜［請求項５］のいずれか１項において、前記鉄イオン低減手段が、前記低圧ヒータドレン水の一部を直接に前記復水器に送り込むバイパスドレンであることを特徴とする。
【００１５】
本発明の［請求項７］の給水及びドレン水処理設備は、前記［請求項１］〜［請求項６］のいずれか１項において、前記鉄イオン低減手段が、前記復水器と低圧ヒータとの間に設けられている混床式イオン交換樹脂設備に前記給水の全量を送る配管構造であることを特徴とする。
【００１６】
本発明の［請求項８］の給水及びドレン水処理設備は、前記［請求項１］〜［請求項７］のいずれか１項において、前記鉄イオン低減手段が、前記湿分分離器ドレンを構成する配管および／または前記低圧ヒータドレンを構成する配管の少なくとも一部を構成している鉄溶出低減鋼製配管であることを特徴とする。
【００１７】
本発明の［請求項９］の給水及びドレン水処理設備は、前記［請求項２］〜［請求項４］のいずれか１項において、給水ポンプの下流または上流に設けた鉄イオン監視モニターの測定データに基づき前記鉄溶出抑制薬剤注入装置における薬剤注入量が制御されることを特徴とする。
【００１８】
本発明の［請求項１０］は、給水及びドレン水処理設備におけるスケール付着抑制方法に関するもので、このスケール付着抑制方法は、発電用蒸気タービンの排蒸気から水分を分離回収する湿分分離器および湿分分離器ドレンと、復水器から下流の複数の低圧ヒータを通る低圧ヒータドレンと、復水器と低圧ヒータとの間に設けられている混床式イオン交換樹脂設備とを少なくとも具備してなるドレン水処理設備におけるスケール付着抑制方法であって、前記ドレン水及び給水中の鉄イオンを低減化することによって前記スケール付着を抑制することを特徴とする。
【００１９】
本発明の［請求項１１］のスケール付着抑制方法は、前記［請求項１０］において、前記鉄イオン低減を、前記湿分分離器ドレンに鉄溶出抑制薬剤を注入して鋼製配管からドレン水中への鉄溶出を抑制することにより実現することを特徴とする。
【００２０】
本発明の［請求項１２］のスケール付着抑制方法は、前記［請求項１０］または［請求項１１］において、前記鉄イオン低減を、前記低圧ヒータドレンに鉄溶出抑制薬剤を注入して鋼製配管からドレン水中への鉄溶出を抑制することにより実現することを特徴とする。
【００２１】
本発明の［請求項１３］のスケール付着抑制方法は、前記［請求項１０］〜［請求項１２］のいずれか１項において、前記鉄イオン低減を、前記低圧ヒータの下流に脱気滞留槽を設け、該脱気滞留槽に鉄溶出抑制薬剤を注入して鋼製配管からドレン水中への鉄溶出を抑制することにより実現することを特徴とする。
【００２２】
本発明の［請求項１４］のスケール付着抑制方法は、前記［請求項１０］〜［請求項１３］のいずれか１項において、前記鉄イオン低減を、前記湿分分離器ドレンの一部を直接に前記復水器に送り込み、酸素に富む復水器水に接触させてドレン水中の鉄イオンを固体酸化物として形成させることにより実現することを特徴とする。
【００２３】
本発明の［請求項１５］のスケール付着抑制方法は、前記［請求項１０］〜［請求項１３］のいずれか１項において、前記鉄イオン低減を、前記低圧ヒータドレン水の一部を直接に前記復水器に送り込み、酸素に富む復水器水に接触させてドレン水中の鉄イオンを固体酸化物として形成させることにより実現することを特徴とする。
【００２４】
本発明の［請求項１６］のスケール付着抑制方法は、前記［請求項１０］〜［請求項１５］のいずれか１項において、前記鉄イオン低減を、前記復水器と低圧ヒータとの間に設けられている混床式イオン交換樹脂設備に前記給水の全量を送って前記混床式イオン交換樹脂設備による給水中の鉄イオンの捕集率を高めることにより実現することを特徴とする。
【００２５】
本発明の［請求項１７］のスケール付着抑制方法は、前記［請求項１０］〜［請求項１６］のいずれか１項において、前記鉄イオン低減を、前記湿分分離器ドレンを構成する配管および／または前記低圧ヒータドレンを構成する配管の少なくとも一部を鉄含量低減鋼製配管から構成して配管からドレン水への鉄溶出を抑えることにより実現することを特徴とする。
【００２６】
本発明の［請求項１８］のスケール付着抑制方法は、前記［請求項１１］〜［請求項１３］のいずれか１項において、前記給水ポンプの上流または下流に鉄イオン監視モニターを設け、この鉄イオン監視モニターの測定データに基づき前記鉄溶出抑制薬剤注入量を制御することを特徴とする。
【００２７】
なお、前記構成において、脱気滞留槽としては、「５分以上、さらに好ましくは１０分以上の滞留時間を有する従来の脱気滞留槽」より容量が大きいことが好ましい。滞留時間が増加することにより、鉄イオンのＦｅ3Ｏ4への反応が進み、鉄イオン濃度が減少するので、スケールが付着しにくくなるからである。
【発明の効果】
【００２８】
本発明にかかる給水及びドレン水処理設備および該設備におけるスケール付着抑制方法は、給水及びドレン水中の鉄イオンを低減させることができるので、スケールの主成分である酸化鉄の構成要素を低減することになり、効果的にスケール付着を抑制することができる。
【発明を実施するための最良の形態】
【００２９】
以下に、本発明にかかる給水及びドレン水処理設備および該設備におけるスケール付着抑制方法の実施例を図１に基づいて詳細に説明する。なお、以下に示す実施例は本発明を好適に説明するための例示に過ぎず、なんら本発明を限定するものではない。
【実施例１】
【００３０】
図１は、本発明にかかるドレン水処理設備の概略構成図である。このドレン水処理設備は、他の発電設備のドレン水処理設備と同様に、基本的構成として、発電用蒸気タービンの排蒸気から水分を分離回収する湿分分離器１と湿分分離器ドレン２と、前記湿分分離器ドレン２からのドレン水と、復水器５からの給水とを複数の低圧ヒータ４ａ〜４ｄを通る低圧ヒータドレン６と、前記復水器５と低圧ヒータ４ｄとの間に設けられている混床式イオン交換樹脂設備７とを少なくとも具備している。
【００３１】
本発明のドレン水処理設備の特徴は、鉄イオン低減手段を有する点にある。この鉄イオン低減手段として、本実施例１では、前記湿分分離器ドレン２、前記低圧ヒータドレン６のいずれか一方もしくは両方に鉄溶出抑制薬剤注入装置８ａ、８ｂを取り付けた構成にある。この鉄溶出抑制薬剤としては、ヒドラジン、アンモニア、ＥＴＡを挙げることができる。アンモニアとＥＴＡは、ｐＨを上昇させるので、ドレン系統の配管（鉄）の溶出により発生する鉄イオン濃度を下げる働きがある。一方、ヒドラジンは、それが持つ防食効果により鉄の溶解を低下させる。これらの薬剤の注入によって、スケール付着量を、主給水ポンプでは約１/４に、低圧ヒータードレンポンプでは約１／１０に低減できる。
【実施例２】
【００３２】
本実施例２では、鉄イオン低減手段として、まず、前記低圧ヒータ４ａの下上流に脱気対流槽９を設け、さらにこの脱気滞留槽９に鉄溶出抑制薬剤注入装置８ｃを取り付ける。
【００３３】
鉄イオンは１５０℃以上になると分単位で反応して鉄錆に変化し付着性が減少する。脱気滞留槽９は１５０℃以上に加熱可能になっており、例えば、１８０℃に維持されるようになっている。この温度制御によって、給水及びドレン水中の鉄イオンは固体状の酸化鉄に変化する。現在、加圧水型原子力発電所では、多くのプラントでこの滞留槽と同等の脱気器を設置しているが、本発明では、加圧水型原子力発電所に限らず、いかなる発電設備においても、この脱気滞留槽９を必須構成として具備する。この脱気滞留槽９は、その目的からして、従来使用の脱気器より容量を大きくすることが望ましい。この脱気滞留槽９を設けた場合、主給水ポンプ、湿分分離器ドレンポンプ等の１５０℃以上で運転するポンプに対して有効である。主給水ポンプにおいては、１５０℃、約５分間の滞留時間を有する脱気滞留槽９を設けることにより、スケール付着量を約１／１０に低減できる。この脱気滞留槽９に対して前記実施例１において用いたと同様の鉄溶出抑制薬剤注入装置８ｃを設けることにより、槽内壁からの鉄の溶出を抑制できるため、さらにドレン水中の鉄イオン量を低減できる。
【実施例３】
【００３４】
本実施例３では、鉄イオン低減手段として、前記湿分分離器ドレン２のドレンポンプ（不図示）下流のドレン水の一部を直接に前記復水器５に送り込むバイパスドレン２ａを設ける。
【００３５】
復水器５の水質中にはｐｐｂレベルの溶存酸素が存在しており、このバイパスドレン２ａの設置により、この溶存酸素と鉄イオンを反応させることによって鉄イオン濃度を減少させる。この作用では、主給水ポンプに対して有効である。主給水ポンプにおいては、ドレン水の復水器５への注入によって、スケール付着量を約１／３に低減できる。
【実施例４】
【００３６】
本実施例４では、鉄イオン低減手段として、前記低圧ヒータドレン６のドレンポンプ１０下流のドレン水の一部を直接に前記復水器５に送り込むバイパスドレン６ａを設ける。
【００３７】
復水器５の水質中にはｐｐｂレベルの溶存酸素が存在しており、このバイパスドレン６ａの設置により、この溶存酸素と鉄イオンを反応させることによって鉄イオン濃度を減少させる。この作用では、主給水ポンプに対して有効である。主給水ポンプにおいては、ドレン水の復水器５への注入によって、スケール付着量を約１／３に低減できる。
【実施例５】
【００３８】
本実施例５では、鉄イオン低減手段として、前記復水器５と低圧ヒータ４ｄとの間に設けられている混床式イオン交換樹脂設備７に前記給水の全量を送る配管構造とする。
【００３９】
この混床式イオン交換樹脂設備について説明すると、次のようである。周知のように、イオン交換樹脂は本来復水中の不純性イオンを除去する効果を有するが、フィルターとは異なり鉄イオンを除去する効果がある。したがって、給水を混床式イオン交換樹脂設備７に全量通水することによって、ドレン水中の鉄イオン量を大幅に低減することができる。かかる手段により、主給水ポンプにおいては、スケール付着量を約１／２に低減できる。
【実施例６】
【００４０】
本実施例６では、鉄イオン低減手段として、前記湿分分離器ドレン２を構成する配管および／または前記低圧ヒータドレン６を構成する配管の少なくとも一部を鉄含量低減鋼製配管とする。鉄含量低減鋼とは、具体的には、ステンレスまたは低合金鋼を意味する。
【００４１】
鉄発生源である湿分離器ドレン２、低圧ヒータードレン６の系統材料を炭素鋼からステンレスまたは低合金鋼に変更すれば、ステンレス及び低合金鋼は炭素鋼よりも耐食性が良いので、鉄イオンの発生を防止できる。例えば、全配管をステンレスもしくは低合金鋼製の配管に置換すれば、主給水ポンプにおいては、スケール付着量を約１／１０に低減できる。
【００４２】
前記各実施例の鉄イオン低減手段を単独に用いてもよいが、組み合わせて使用することにより、相乗効果によって、ドレン水中の鉄イオンを大幅に低減することが可能となる。例えば、薬剤注入によりｐＨ値を上昇させることによって、スケール付着の主要因である鉄イオンの反応速度を上げ、脱気滞留槽９で鉄イオンをＦｅ3Ｏ4に変えることによって、鉄イオン濃度を減少させる。かかる構成における鉄イオンからＦｅ3Ｏ4への反応式を下記に示す。
３Ｆｅ2+  ＋  ６ＯＨ-  →  Ｆｅ3Ｏ4  ＋  Ｈ2Ｏ  ＋  Ｈ2
したがって、ｐＨ値を上げる（ＯＨ-の濃度を上昇させる）と、上式は右辺に移行しようとするため、Ｆｅ3Ｏ4の生成速度は速くなる。
【００４３】
また、前記給水ポンプの下流に鉄イオン監視モニター１１を設け、このモニター１１の測定データに基づき前記鉄溶出抑制薬剤注入装置８ａ，８ｂ，８ｃにおける薬剤注入量が制御することが望ましい。この構成によれば、鉄イオン濃度減少の確認が出来るようになるとともに、その濃度を監視できるようになり、鉄イオン濃度が上昇した場合に薬剤の注入量を上昇させ、鉄イオン発生量を下げることが可能になる。
【産業上の利用可能性】
【００４４】
以上のように、本発明にかかるドレン水処理設備およびスケール付着抑制方法称）は、発電設備の水循環系のスケール発生を効果的に抑制するに有用であり、発電設備の運転の省エネルギー化に大きく貢献することができる。
【図面の簡単な説明】
【００４５】
【図１】本発明に係るドレン水処理設備の概略構成図である。
【符号の説明】
【００４６】
１  湿分分離器
２  湿分分離器ドレン
２ａ  湿分分離器ドレンのバイパス
３  給水ポンプ
４ａ，４ｂ，４ｃ，４ｄ  低圧ポンプ
５  復水器
６  低圧ヒータドレン
６ａ  低圧ヒータドレンのバイパス
７  混床式イオン交換樹脂設備
８ａ，８ｂ，８ｃ  鉄溶出抑制薬剤注入装置
９  脱気滞留槽
１０  低圧ヒータドレンポンプ
１１  監視モニタ
【図１】
2006150171.tif 000003